(57)【要約】      （修正有）【課題】防鹿効果が絶大で、農作物や自然界の植物又はコンクリート製法枠内の植物の成育が良好となり、しかも極めて安価に設置でき、主として水源林等の山岳地帯の崩壊斜面の保護と早期復元にとって画期的な防鹿網装置を提供する。【解決手段】植物４を食い荒らす鹿６の侵入を防止するための防鹿網装置１８において、植物４が植えられた地面１ａに対して狭角度θとなるように傾斜して固着され中実又は中空の金属製棒状部材の一例たる鉄筋１２からなる格子状の枠１０と、該格子状の枠１０に固定されて地面１ａに対して狭角度θとなるように傾斜して設置された金網１１とを備えた構成及びコンクリート製法枠２に地面１ａに対して狭角度θとなるように傾斜して固着された格子状の鉄筋枠１０と、該鉄筋枠１０に固定されて地面１ａに対して狭角度θとなるように傾斜して設置された金網１１とを備えた構成を特徴とする。【選択図】図１
0003116809.tif 000002
【実用新案登録請求の範囲】
【請求項１】
植物を食い荒らす鹿の侵入を防止するための防鹿網装置において、前記植物が植えられた地面に対して狭角度となるように傾斜して固着され中実又は中空の金属製棒状部材からなる格子状の枠と、該格子状の枠に固定されて前記地面に対して狭角度となるように傾斜して設置された金網とを備えたことを特徴とする防鹿網装置。
【請求項２】
格子状のコンクリート製法枠工を施し、前記格子の中の地面に育成基盤材、肥料、粘結剤等からなる厚層基材に各種の植物の種子を混ぜて散布又は吹き付けて該植物の成育により前記地面を緑化することで斜面の崩壊を防止する前記コンクリート製法枠の周囲に設置され、前記植物を食い荒らす鹿の侵入を防止するための防鹿網装置において、前記コンクリート製法枠に前記地面に対して狭角度となるように傾斜して固着された格子状の鉄筋枠と、該鉄筋枠に固定されて前記地面に対して狭角度となるように傾斜して設置された金網とを備えたことを特徴とする防鹿網装置。
【請求項３】
格子状のコンクリート製法枠工を施し、前記格子の中の地面に育成基盤材、肥料、粘結剤等からなる厚層基材に各種の植物の種子を混ぜて散布又は吹き付けて該植物の成育により前記地面を緑化することで斜面の崩壊を防止する前記コンクリート製法枠の周囲に設置され、前記植物を食い荒らす鹿の侵入を防止するための防鹿網装置において、前記コンクリート製法枠工を施した斜面の全周にわたって前記コンクリート製法枠に前記地面に対して狭角度となるように傾斜して固着された格子状の鉄筋枠と、該鉄筋枠に固定されて前記コンクリート製法枠の全周を囲いかつ前記地面に対して狭角度となるように傾斜して設置された金網とを備えたことを特徴とする防鹿網装置。
【請求項４】
前記地面に対する狭角度は、略１７度、前記金網の幅は、略２ｍであることを特徴とする請求項１乃至請求項３のいずれかに記載の防鹿網装置。
【請求項５】
前記金網の網目の大きさは、縦横６０ｍｍ乃至７０ｍｍであることを特徴とする請求項１乃至請求項３のいずれかに記載の防鹿網装置。
【請求項６】
前記金属製棒状部材及び前記鉄筋は、亜鉛めっきの防錆処理が施されたものであることを特徴とする請求項１乃至請求項３のいずれかに記載の防鹿網装置。
【請求項７】
前記金属製棒状部材及び前記鉄筋は、亜鉛、アルミニウム及びマグネシウムの複合めっきの防錆処理が施されたものであることを特徴とする請求項１乃至請求項３のいずれかに記載の防鹿網装置。
【考案の詳細な説明】
【技術分野】
【０００１】本考案は、農地、公園及び山林内の地面並びに山岳地帯等の崩壊斜面の防鹿網装置に係り、特に野性の鹿が出没するいわゆる里山の農地、国立公園等の山岳地帯の公園や山林は元より、格子状のコンクリート製法枠工（・・のりわくこう）を施し、格子の中の地面に育成基盤材、肥料、粘結剤等からなる厚層基材に各種の植物の種子を混ぜて散布又は吹き付けて該植物の成育により前記地面を緑化することで斜面の崩壊を防止するコンクリート製法枠の周囲に設置され、植物を食い荒らす鹿の侵入を防止するための防鹿網装置において、地面に対して鉄筋枠及び金網を狭角度に傾斜させて設置し、金網の幅を鹿が飛び越えられない程度の長さに設定することにより、鹿がこの金網を通過しようとしても必ずその脚が金網の中に嵌まってしまうことにより、決して通過できないようにし、防鹿効果が絶大で、農作物や自然界の植物又はコンクリート製法枠内の植物の成育が良好となり、しかも極めて安価に設置でき、主として水源林等の山岳地帯の崩壊斜面の保護と早期復元にとって画期的な防鹿網装置に関する。
【背景技術】
【０００２】従来、大都市等の水源林として保護されている山岳地帯の斜面が、地震、風水害等の自然災害により、山崩れ、土砂崩れを起こして崩壊した場合には、水源林を保護することを主目的として、大規模な復旧工事が行われて来た。
その工事は、従来工法では、図１３に示すように、崩壊した斜面１に生コンクリートの吹付け工法によりコンクリート製の縦法枠２ａと横法枠２ｂを十文字状に組み合わせて格子３状に形成して斜面１の地面１ａに固着し、更にこの格子３の中にも生コンクリート（図示せず）を吹き付けて、崩壊した斜面１の全面をコンクリート製法枠２で固めて保護していた。
しかしこの工法では、復旧後の斜面１に再び植物４が生える可能性はなく、斜面１自体のそれ以後の崩壊は免れても、水を蓄えるという山本来の機能が失われ、水源林としての価値が損なわれると共に、美観の点からも自然保護本来の目的からしても好ましくないという欠点があった。【０００３】そこで、最近のコンクリート製法枠工では、コンクリート製法枠２の格子３の中にはコンクリートを打たず、斜面１の地面１ａをそのまま残し、そこに法面緑化材等の育成基盤材、高度化成等の肥料、高分子性樹脂等の粘結剤等からなる厚層基材５に各種の植物４の種子、例えばヤマハギ、ヨモギ、カヤ（ススキ）、メドハギ、イタドリ等の種子を混ぜて、１００ｍ２当り３．７１ｍ３程度散布又は吹き付けて該植物４の成育により地面１ａを緑化することで斜面１の崩壊を防止するコンクリート製法枠工法が採用されるようになった。そして該コンクリート製法枠工が施される斜面１の面積は、一例として約２，０００ｍ２程度であり、かなり大規模な工事で、これに要する費用も相当な額となっている。【０００４】コンクリート製法枠２の格子３の中に蒔かれた上記各種の植物４の種子は、やがて芽を出して、図１３に示すように、植物４として成長し、崩壊した斜面１の全域が植物４が生い茂る緑の斜面１として復旧し、その後更に時間がたつと、やがて格子３の中には樹木（図示せず）の種子が近くの山林からか運ばれて来て樹木が生えるようになり、該樹木が成長することによって、災害により崩壊する以前の立派な山林の斜面に復元されることになり、水源林としての機能及び山林としての美観も完全に復元されることが期待される。【０００５】しかし、ここで問題となるのが、野性動物の中でも植物４の新芽を食する動物である鹿６であり、この鹿６がコンクリート製法枠２の中に侵入すると、人的努力によって折角成長させた貴重な植物４の新芽がほとんど全部食い荒らされてしまい、コンクリート製法枠２の格子３の中の地面１ａは、植物４の生えない荒れ地となり、最近のコンクリート製法枠２もその目的を達することができない。【０００６】そこで従来は、コンクリート製法枠工を施した斜面１の周囲を囲うように、各種の防鹿網装置８を設置して、鹿６のコンクリート製法枠２内への侵入を阻止する試みがなされたが、従来のものはほとんどその効果がなく、折角の植物４の成長は望めなかった。図１３に示す従来の防鹿網装置８は、地面１ａに垂直に高さ２ｍ程度の鋼鉄製の縦枠８ａをコンクリート９で固めて植設し、これに金網８ｂを張って、コンクリート製法枠２の全周を囲っていた。【０００７】しかし、該従来の防鹿網装置８では、金属製の縦枠８ａが非常に多く使用さ、それ自体のコストも高く、またその植設のためのコンクリート工事も高く付き、防鹿網装置８の工事費が莫大なものとなるという欠点があった。
また更に大きな欠点は、鹿６は非常に跳躍力が強いため、図１２に示すように、助走して来て、矢印Ａの如く軽々と防鹿網装置８を飛び越えてコンクリート製法枠２内に侵入し、また出で行ってしまうことか判明し、これを防ぐためには防鹿網装置８の高さを鹿６の跳躍力を超える高さにしなければならず、これは工事の大規模化、高額化の問題、即ち高さが高くなればそれだけ縦枠８ａを太く頑丈な物にしなければならず、また台風等に備えて倒壊防止のために斜めの支持枠（図示せず）を多数設置しなければならなくなること等の問題を招き、従来の技術ではどうすることもできなかった。
また上記鹿６の被害は、里山の農地、山岳地帯の一般の山林や国立公園等の公園内の山林等においても同様であり、これら地域における防鹿網装置で鹿の侵入を確実にかつ安価に防止できるものは全く提供されておらず、農家や自治体等ではその対策に苦慮していた。【０００８】なお、出願人及び考案者は、本願考案に関する公知特許文献及び公知非特許文献を知らないので、その記載を省略する。
【考案の開示】
【考案が解決しようとする課題】
【０００９】本考案は、上記した従来技術の欠点を除くためになされたものであって、その目的とするところは、植物を食い荒らす鹿の侵入を防止するための防鹿網装置において、植物が植えられた地面に対して狭角度となるように傾斜して固着され中実又は中空の金属製棒状部材からなる格子状の枠と、該格子状の枠に固定されて地面に対して狭角度となるように傾斜して設置された金網とを備えることにより、鹿が地面に対して狭角度に傾斜して設置された障害物を飛び越える能力が低いことを利用して、鹿が侵入しようとすると、必ず少なくとも２本の脚が金網に嵌まってしまって決して防鹿網装置を通過することができないようにすることであり、またこれによって鹿が出没する里山の農地内の作物や山岳地帯の一般の山林及び国立公園等の公園内の植物を鹿から保護し、このような地域における鹿の害を確実にかつ安価に防止できるようにすることである。【００１０】また他の目的は、格子状のコンクリート製法枠工を施し、格子の中の地面に育成基盤材、肥料、粘結剤等からなる厚層基材に各種の植物の種子を混ぜて散布又は吹き付けて該植物の成育により地面を緑化することで斜面の崩壊を防止するコンクリート製法枠の周囲に設置され、植物を食い荒らす鹿の侵入を防止するための防鹿網装置において、コンクリート製法枠に地面に対して狭角度となるように傾斜して固着された格子状の鉄筋枠と、該鉄筋枠に固定されて地面に対して狭角度となるように傾斜して設置された金網とを備えることにより、鹿が地面に対して狭角度に傾斜して設置された障害物を飛び越える能力が低いことを利用して、鹿が侵入しようとすると、必ず少なくとも２本の脚が金網に嵌まってしまって決して防鹿網装置を飛び越えることができないようにすることである。【００１１】また他の目的は、鹿が侵入しないことにより、人工的に育成したコンクリート製法枠内の植物が順調に成育するようにして、崩壊した斜面が再び緑豊かな斜面に復元され、やがてはその中に樹木も生えて崩壊以前の立派な山林の斜面に復元され、水源林としての山が元通りとなるようにし、また山の美観の保護とと自然保護の目的を達成できるようにすることである。【００１２】また他の目的は、防鹿網装置の支持枠をすべて鉄筋で構成することによって、鉄骨やアングル材の使用を不要とすることで、その設置費用を大幅に低減させることであり、またこれによって極めて大規模な崩壊斜面の復旧工事に伴う防鹿網装置の工事費を大幅に削減できるようにすることである。【００１３】また他の目的は、上記防鹿網装置をコンクリート製法枠工を施した斜面の全周にわたって設置することにより、いずれの方向からも決して鹿がその中に侵入できないようにすることであり、またこれによってコンクリート製法枠内で成育している植物が完全に鹿の害から保護され、緑豊かな斜面が復元されるようにすることである。【００１４】更に他の目的は、地面に対する鉄筋枠及び金網の狭角度を、略１７度、金網の幅を、略２ｍとすることによって、鹿の斜め上方への跳躍力の限界を超えるようにすることであり、またこれによって鹿がコンクリート製法枠内に決して侵入しないという、防鹿網装置本来の目的を完全に達成できるようにすることである。【００１５】また他の目的は、金網の網目の大きさを、縦横６０ｍｍ乃至７０ｍｍとすることによって、相当大型の鹿であっても、そのひずめ及び脚が必ず金網の網目に嵌まってしまうようにすることであり、またこれによっていかなる種類の鹿であっても保護が必要な農地や山林又はコンクリート製法枠内に決して侵入できないようにすることである。【００１６】また他の目的は、防鹿網装置の金属製棒状部材及び鉄筋に亜鉛めっきの防錆処理を施すことによって、その耐食性をを増大させて耐久性を大幅に向上させ、多くの場合人が容易に近づけない山岳地帯に設置される防鹿網装置の保守、点検の容易化を図ると共に、単純な亜鉛めっきにより、コストの安価ないわゆる「どぶ漬け」の亜鉛めっきを可能とし、防錆処理による金属製棒状部材及び鉄筋、ひいては防鹿網装置のコストの上昇を極力抑えることである。【００１７】更に他の目的は、防鹿網装置の金属製棒状部材及び鉄筋に、亜鉛、アルミニウム及びマグネシウムの複合めっきの防錆処理を施すことによって、通常の亜鉛めっきの耐食性に比べて１０倍乃至２０倍の耐食性を与えて、極めて長期間の部品の交換なしの使用を可能とし、防鹿網装置の保守、点検の必要性をほとんどなくして、それに要する費用を大幅に節約できるようにすることである。
【考案の効果】
【００１８】  本考案は、上記のように植物を食い荒らす鹿の侵入を防止するための防鹿網装置において、植物が植えられた地面に対して狭角度となるように傾斜して固着され中実又は中空の金属製棒状部材からなる格子状の枠と、該格子状の枠に固定されて地面に対して狭角度となるように傾斜して設置された金網とを備えたので、鹿が地面に対して狭角度に傾斜して設置された障害物を飛び越える能力が低いことを利用して、鹿が侵入しようとすると、必ず少なくとも２本の脚が金網に嵌まってしまって決して防鹿網装置を通過することができないという効果があり、またこの結果鹿が出没する里山の農地内の作物や山岳地帯の一般の山林及び国立公園等の公園内の植物を鹿から保護し、このような地域における鹿の害を確実にかつ安価に防止できるという効果がある。【００１９】また格子状のコンクリート製法枠工を施し、格子の中の地面に育成基盤材、肥料、粘結剤等からなる厚層基材に各種の植物の種子を混ぜて散布又は吹き付けて該植物の成育により地面を緑化することで斜面の崩壊を防止するコンクリート製法枠の周囲に設置され、植物を食い荒らす鹿の侵入を防止するための防鹿網装置において、コンクリート製法枠に地面に対して狭角度となるように傾斜して固着された格子状の鉄筋枠と、該鉄筋枠に固定されて地面に対して狭角度となるように傾斜して設置された金網とを備えたので、鹿が地面に対して狭角度に傾斜して設置された障害物を飛び越える能力が低いことを利用して、鹿が侵入しようとすると、必ず少なくとも２本の脚が金網に嵌まってしまって決して防鹿網装置を通過することができないという効果がある。【００２０】また鹿が侵入しないことにより、人工的に育成したコンクリート製法枠内の植物が順調に成育するようになり、崩壊した斜面が再び緑豊かな斜面に復元され、やがてはその中に樹木も生えて崩壊以前の立派な山林の斜面に復元され、水源林としての山が元通りとなる効果があり、また美観の保護と自然保護の目的を達成できるという効果が得られる。【００２１】また防鹿網装置の支持枠をすべて鉄筋で構成したので、鉄骨やアングル材の使用が不要となり、その設置費用を大幅に低減させることができる効果があり、またこの結果極めて大規模な崩壊斜面の復旧工事に伴う防鹿網装置の工事費を大幅に削減できるという効果がある。【００２２】また上記防鹿網装置をコンクリート製法枠工を施した斜面の全周にわたって設置したので、いずれの方向からも決して鹿がその中に侵入できないという効果があり、またこの結果コンクリート製法枠内で成育している植物が完全に鹿の害から保護され、緑豊かな斜面が復元されるという効果がある。【００２３】更には、地面に対する金属製棒状部材及び鉄筋枠並びに金網の狭角度を、略１７度、金網の幅を、略２ｍとしたので、鹿の斜め上方への跳躍力の限界を超えるようにすることができ、またこの結果鹿がコンクリート製法枠内に決して侵入しないという、防鹿網装置本来の目的を完全に達成できる効果が得られる。【００２４】また金網の網目の大きさを、縦横６０ｍｍ乃至７０ｍｍとしたので、相当大型の鹿であっても、そのひずめ及び脚が必ず金網の網目に嵌まってしまうという効果があり、またこの結果いかなる���類の鹿であっても保護が必要な農地や山林又はコンクリート製法枠内に決して侵入できないという効果がある。【００２５】また防鹿網装置の金属製棒状部材及び鉄筋に亜鉛めっきの防錆処理を施したので、その耐食性をを増大させて耐久性を大幅に向上させ、多くの場合人が容易に近づけない山岳地帯に設置される防鹿網装置の保守、点検の容易化を図ることができる効果があると共に、単純な亜鉛めっきにより、コストの安価ないわゆる「どぶ漬け」の亜鉛めっきを可能となり、防錆処理による金属製棒状部材及び鉄筋、ひいては防鹿網装置のコストの上昇を極力抑えることができる効果がある。【００２６】更には、防鹿網装置の金属製棒状部材及び鉄筋に、亜鉛、アルミニウム及びマグネシウムの複合めっきの防錆処理を施したので、通常の亜鉛めっきの耐食性に比べて１０倍乃至２０倍の耐食性を与えることができ、極めて長期間の部品の交換なしの使用が可能となり、防鹿網装置の保守、点検の必要性をほとんどなくすことができるため、それに要する費用を大幅に節約できるという効果がある。
【課題を解決するための手段】
【００２７】  要するに本考案（請求項１）は、植物を食い荒らす鹿の侵入を防止するための防鹿網装置において、前記植物が植えられた地面に対して狭角度となるように傾斜して固着され中実又は中空の金属製棒状部材からなる格子状の枠と、該格子状の枠に固定されて前記地面に対して狭角度となるように傾斜して設置された金網とを備えたことを特徴とするものである。【００２８】また本考案（請求項２）は、格子状のコンクリート製法枠工を施し、前記格子の中の地面に育成基盤材、肥料、粘結剤等からなる厚層基材に各種の植物の種子を混ぜて散布又は吹き付けて該植物の成育により前記地面を緑化することで斜面の崩壊を防止する前記コンクリート製法枠の周囲に設置され、前記植物を食い荒らす鹿の侵入を防止するための防鹿網装置において、前記コンクリート製法枠に前記地面に対して狭角度となるように傾斜して固着された格子状の鉄筋枠と、該鉄筋枠に固定されて前記地面に対して狭角度となるように傾斜して設置された金網とを備えたことを特徴とするものである。【００２９】また本考案（請求項８）は、格子状のコンクリート製法枠工を施し、前記格子の中の地面に育成基盤材、肥料、粘結剤等からなる厚層基材に各種の植物の種子を混ぜて散布又は吹き付けて該植物の成育により前記地面を緑化することで斜面の崩壊を防止する前記コンクリート製法枠の周囲に設置され、前記植物を食い荒らす鹿の侵入を防止するための防鹿網装置において、前記コンクリート製法枠工を施した斜面の全周にわたって前記コンクリート製法枠に前記地面に対して狭角度となるように傾斜して固着された格子状の鉄筋枠と、該鉄筋枠に固定されて前記コンクリート製法枠の全周を囲いかつ前記地面に対して狭角度となるように傾斜して設置された金網とを備えたことを特徴とするものである。【００３０】また本考案（請求項４）は、前記地面に対する狭角度は、略１７度、前記金網の幅は、略２ｍであることを特徴とするものである。【００３１】また本考案（請求項５）は、前記金網の網目の大きさは、縦横６０ｍｍ乃至７０ｍｍであることを特徴とするものである。【００３２】また本考案（請求項６）は、前記金属製棒状部材及び前記鉄筋は、亜鉛めっきの防錆処理が施されたものであることを特徴とするものである。【００３８】また本考案（請求項７）は、前記金属製棒状部材及び前記鉄筋は、亜鉛、アルミニウム及びマグネシウムの複合めっきの防錆処理が施されたものであることを特徴とするものである。
【考案を実施するための最良の形態】
【００３４】以下本考案を図面に示す実施例に基づいて説明する。本考案に係る防鹿網装置１８は、図１から図９に示すように、植物４を食い荒らす鹿６の侵入を防止するための防鹿網装置において、格子状の枠の一例たる格子状の鉄筋枠１０と、金網１１とを備えている。【００３５】格子状の鉄筋枠１０は、植物４が植えられた地面１ａに対して狭角度θとなるように傾斜して固着されており、中実又は中空の金属製棒状部材の一例たる鉄筋１２からなり、この鉄筋１２には、耐食性を向上させるため、安価で耐食性の大きい亜鉛めっきが施されており、更に高度の耐食性を付与するためには、亜鉛、アルミニウム及びマグネシウムの複合めっきが施される。この亜鉛、アルミニウム及びマグネシウムの複合めっきは、通常の亜鉛めっきの１０倍乃至２０倍の耐食性を有し、極めて長期間の鉄筋１２の耐久性が保証されるものである。具体的には、日新製管株式会社製のＺＡＭめっき（「ＺＡＭ」は日新製管株式会社の商標）が好適である。
なお、中実又は中空の金属製棒状部材（請求項１）は、鉄筋１２に限定されるものではなく、農業用のビニールハウスに使用される如き細い金属製鉄パイプでもよく、普通の丸い鉄棒であってもよい。また鉄筋１２は、節のある異形鉄筋でもよく、丸棒状の通常形鉄筋でもよい。【００３６】鉄筋枠１０の地面に対する狭角度θは、図４及び図１２に示すように、１７度位が最も適切であり、１５度乃至３０度位が実用可能の範囲である。
これはこの角度が余り小さいと、金網１１と地面１ａとの距離が近くなり過ぎ、鹿６が金網１１に嵌まった脚６ａを地面１ａについて歩くことができてしまい、またこの角度が余り大きく、９０度に近づくと、従来の垂直の防鹿網装置８と変わらなくなり、鹿６の跳躍力の優位な角度と金網１１の地面１ａ方向の実質幅（この地面方向の実質幅は金網１１の狭角度θの余弦値（ｃｏｓθ）に比例して小さくなるので、狭角度θが大きくなるにつれて減少し、９０度で０となる。図１３に示す従来の防鹿網装置８はこの例である。）となって鹿６が容易にこれを飛び越えてしまうからである。【００３７】地面が農地や普通の山林（いずれも図示せず）の場合には、鉄筋１２は、地面にかなり深く打ち込むだけで設置が可能であるが、より強度を増すためには、地中の鉄筋１２の回りにコンクリートを打つことが望ましい。【００３８】次に、図１に示すような、山林１３の一部が山崩れや土砂崩れによって崩壊した斜面１に本考案に係る防鹿網装置１８を設置する場合について説明すると、山林１３の樹木１４は、斜面１においては、完全に流されて失われており、土砂（図示せず）が露出した地面１ａを整地し、ある程度平らにしたところに、生コンクリートの吹付けにより、コンクリート製法枠２を形成するためのコンクリート製法枠工を施す。コンクリート製法枠２は、縦法枠２ａと横法枠２ｂとで格子状に形成され、最下部の横法枠２ｂのみは広幅に形成され、他の横法枠２ｂ及び縦法枠２ａはすべて略同一幅に形成されており、格子１４はほぼ正方形に形成されている。【００３９】そしてコンクリート製法枠２の格子２ｄの中の地面１ａには、育成基盤材、肥料、粘結剤等からなる厚層基材５に各種の植物４の種子（図示せず）を混ぜて散布又は吹き付けて該植物の成育により地面１ａを緑化することで斜面１の崩壊を防止するようになっている。なお、厚層基材５及び植物４の種子の使用量等の詳細は、背景技術の欄で記載したと同様であるので、その説明は省略する。【００４０】格子状の鉄筋枠１０は、コンクリート製法枠２に斜面１の地面１ａに対して狭角度θ、即ち１７度位の角度となるように傾斜して固着され、最下部の横法枠２ｂにコンクリートが軟らかいうちに差し込んで又は固化してから穴をあけて打ち込んで植設された外側縦鉄筋１２ａと、該外側縦鉄筋から約１．５ｍ内側に入った所に形成される縦法枠２ａと横法枠２ｂの交差点２ｃに、同様にコンクリートが軟らかいうちに差し込んで又は固化してから穴をあけて打ち込んで植設された内側縦鉄筋１２ｂと、各外側縦鉄筋１２ａに被覆又は亜鉛めっきされて防錆処理された線材１５（図７から図９）で結線された外側横鉄筋１２ｃと、各内側縦鉄筋１２ｂと線材１５で結線された内側横鉄筋１２ｄと、各外側縦鉄筋１２ａ、外側横鉄筋１２ｃ及び内側縦鉄筋１２ｂ、内側横鉄筋１２ｄとに夫々線材１５で結線され、金網１１を載せるための斜面鉄筋１２ｅとからなり、上方から見て格子状に形成され、具体的には各格子状の鉄筋枠１０は、水平方向の幅が約１．５ｍ、上下方向の幅が約１．８ｍに設定されている。【００４１】次に、格子状の鉄筋枠１０に載せられる金網１１について説明すると、金網１１は、耐食性の大きい亜鉛めっき処理さ���た鉄線１１ａを菱形に編み込んだものが通常使用され、その上下方向の幅は、約２ｍに設定され、各網目１８ｂの大きさは、縦横６０ｍｍ乃至７０ｍｍが望ましい。これは最も大きい鹿６の太い脚６ａでも嵌まり込むのに十分な大きさであると同時に金網１１の強度を保つ上でほぼ限界の大きさであり、これより小さいと、最も大きい鹿６では、金網１１の網目１１ｂに嵌まり込むことなく、その上を歩くことができてコンクリート製法枠２の内部の地面１ａに侵入してしまうおそれがあるからである。【００４２】そして特別の場合、即ち斜面１の周囲の一部に鹿６が入ることのできないコンクリートの擁壁等の建造物（図示せず）があったり、急な崖や川（図示せず）に面している場合等を除き、防鹿網装置１８は、図１に示すように、コンクリート製法枠２の全周に設置され、どこからも鹿６が絶対に侵入できないような構成となっている。【００４３】本考案は、上記のように構成されており、以下その作用について説明する。本考案に係る防鹿網装置１８においては、金網１１の長さをＫ、狭角度をθとすると、斜面１の地面１ａに沿う金網１１の実質的な地面方向長さをＬとすると、Ｌ＝Ｋｃｏｓθであるから、例えばＬ＝１．８ｍ、θ＝１７°の場合は、Ｌ＝１．８ｃｏｓ１７°＝１．８×０．９５６＝１．７２ｍとなり、金網１１の長さが差程犠牲にならず、鹿６の跳躍力を阻止する上でかなり長く保たれ、この結果鹿６が飛び越えなければならない地面方向距離も大きく保たれながら、金網１１が地面１ａに対して狭角度θ、即ち１７度位傾斜しているため、外側では脚６ａが金網１１に嵌まり込んでも鹿６は地面１ａに脚６ａのひずめ６ｂを載せて歩くことができるが、更に内側に侵入しようとすると、金網１１の地面１ａに対する相対高さが次第に高くなるので、鹿６の体重により腹部６ｃが金網１１に着いてしまい、もはや金網１１の上を歩くことは不可能となり、鹿６はその場所に止まるか、或いは後戻りして退却するかしかなくなり、結果として、植物４が生えたコンクリート製法枠２内に侵入して植物４を食い荒らすことは全くできない。【００４４】要するに、図１１に示すように、複数の鹿６が防鹿網装置１８の周囲に集まり、図１１及び図１２に示すように、鹿６が矢印Ｂの如く助走して来て、金網１１を飛び越えようとしても、鹿６の跳躍力では、もはや１７度位地面１ａに対して傾斜した金網１１を飛び越えることはできず、金網１１の上を歩く形となるため、必ずその脚６ａが金網１１の網目１１ｂに嵌まり込んで、しかもひずめ６ｂは地面１ａに着かない状態で、腹部６ｃが金網１１に当たってしまい、決して歩くことはできないのである。【００４５】このことは本考案の試験によって確認されており、本考案に係る防鹿網装置１８を設置すれば、これに囲まれた範囲の斜面１には決して鹿６は侵入できないことが判明している。よって防鹿網装置１８で囲まれた斜面１の地面１ａに生えた植物４が鹿６によって食い荒らされることが完全に防止できるので、植物４は瞬く間に地面１ａ全体を覆うようになり、やがて付近の山林１３の樹木１４の種子がコンクリート製法枠２内に運ばれて来て、樹木１４も生えるようになり、かなりの年月経過後には、崩壊した山の斜面１が元通りの山��１４に復元され、例えば水源林としての機能や山林１３としての美観を復活させることができ、自然保護を図ることができる。【００４６】また鉄筋１２は、たとえ亜鉛めっき等を施しても、鉄骨やアングル部材に比べて相当安価であり、また鉄筋１２はすべてコンクリート製法枠２のコンクリート９が固まらないうちに生コンクリートに差し込むだけで植設することができるから、設置用のコストも非常に少なくて済むため、本考案に係る防鹿網装置１８は防鹿効果は絶大でありながら、その設置コストは従来のいかなる防鹿網装置８よりも安価に提供することができる。【００４７】また鉄筋１２に亜鉛めっきやＺＡＭめっき等を施した場合には、鉄筋１２が長期間にわたって腐食しないので、防鹿網装置１８の修繕の必要がほとんどなく、人が近づき難い山間部への立入りの必要性を大幅に低減させることができる。【００４８】また本考案に係る防鹿網装置１８は、コンクリート製法枠２内の地面１ａに限らず、里山の農地や国立公園等の山林の公園等における鹿６の食害の防止にも好適であり、非常に広い範囲の用途が見込まれ、産業上の利用性の極めて大きい考案である。【００４９】また本考案は、防鹿網装置１８に関するものではあるが、その習性や大きさが鹿６に似た動物である山羊、羊やエルク等の草食動物の侵入防止にも好適であり、猪についても有効である。よって本考案の「防鹿網装置」の「鹿」には、これらの鹿６以外の動物も含まれると解釈すべきであり、防鹿網装置１８は、鹿６の侵入防止装置に限定されると解釈すべきではない。
【図面の簡単な説明】
【００５０】
【図１】図１から図１２は本考案の実施例に係り、図１は崩壊した山林の斜面に設置されたコンクリート製法枠と、その全周に施された防鹿網装置の斜視図である。
【図２】コンクリート製法枠に植設された格子状の鉄筋枠と、これに被せられた金網の部分拡大斜視図である。
【図３】コンクリート製法枠と防鹿網装置の部分斜視図である。
【図４】コンクリート製法枠と防鹿網装置の部分縦断面図である。
【図５】コンクリート製法枠に植設された格子状の鉄筋枠と、これに被せられた金網の部分拡大斜視図である。
【図６】コンクリート製法枠に植設された格子状の鉄筋枠と、これに被せられた金網の部分拡大斜視図である。
【図７】鉄筋同士の結線状態及び鉄筋と金網との結線状態を示す部分斜視図である。
【図８】外側縦鉄筋の横法枠への植設状態を示す部分縦断面図である。
【図９】内側縦鉄筋の横法枠への植設状態を示す部分縦断面図である。
【図１０】複数の鹿が防鹿網装置に接近した状態を示す斜視図である。
【図１１】１頭の鹿の脚が防鹿網装置の金網に嵌まってそれ以上動けない状態を示す防鹿網装置の部分斜視図である。
【図１２】１頭の鹿の脚が防鹿網装置の金網に嵌まってそれ以上動けない状態を示す防鹿網装置の部分横断面図である。
【図１３】従来例に係り、１頭の鹿が防鹿網装置を楽々と飛び越えてコンクリート製法枠内の植物が生えている地面に侵入してしまう状態を示す部分横断面図である。
【符号の説明】
【００５１】  １    斜面
１ａ  地面
２    コンクリート製法枠
２ｄ  格子
４    植物
５    厚層基材
６    鹿
１０    格子状の枠の一例たる格子状の鉄筋枠
１１    金網
１２    中実又は中空の金属製棒状部材の一例たる鉄筋
１８    防鹿網装置
θ    狭角度
【図１】
0003116809.tif 000003
【図２】
0003116809.tif 000004
【図３】
0003116809.tif 000005
【図４】
0003116809.tif 000006
【図５】
0003116809.tif 000007
【図６】
0003116809.tif 000008
【図７】
0003116809.tif 000009
【図８】
0003116809.tif 000010
【図９】
0003116809.tif 000011
【図１０】
0003116809.tif 000012
【図１１】
0003116809.tif 000013
【図１２】
0003116809.tif 000014
【図１３】
0003116809.tif 000015